(57)【要約】      （修正有）【課題】日射しから目の一帯を守るために顔前面を日除け防止する本来の機能に加え、首・肩・背中まで肌の日焼けを防止できて、ごく自然な構成要素として映り、女性向きのファッション性を高めるサンバイザーを提供する。【解決手段】布地で覆われたカチューシャ様の装着クリップ１に、側頭部をほぼ１周回して菅笠様に裾広がりのつば２を設け、つば２の裾縁に変形自在のワイヤー５を這わし、つば２の後部に、小さな保冷剤用ポケット付きの二股になったシェード３を取付け、頭部・顔・肩・背中の肌を直射光から守り、皮膚との絶妙の距離間隔を保持しつつ、首後部を保冷剤で冷やしたり、カイロで温めたりして、まとわりベタつく不快感や、冷たく寒い思いもせずに、シェード３を自由に使いこなせる。【選択図】図１
0003184384.tif 000002
【実用新案登録請求の範囲】
【請求項１】
人の額の上辺から側頭部を辿って周回し、後頭部において数ｃｍの隙間で開口している略リング状の・カチューシャ様弾性体を用いた・平ベルト帯を形成し、その全面を布地で覆って、これを装着クリップとし、この装着クリップの縁の全長に亘って、菅笠様の裾広がりに、被った時に少し目深になる程度の幅広のつばを形設するが、つばは二枚の布の間に芯材を入れて形成し、つばの裾縁に、変形自在な柔軟性を有するワイヤーを設け、つばの後端両側の適所に、向かい合わせに面ファスナー雌（ｏｒスナップ雌、ボタンホール）等でシェード取付け部を設け、このシェード取付け部に付け外しするのがシェードであるが、これは、しなやかで・ＵＶカット性・吸汗性・速乾性に富むドライウエット生地等を用い、その首後中央部に当たる箇所に小さい保冷剤が入る小ポケットを設け、夏は保冷剤、冬はカイロを入れることができるが、このシェード部材の形状は、略長方形を想定した時、二つの短辺の一方側の辺端一帯をつば後部への取付け部領域として共有しつつも、小ポケットの少し下部の位置からスリットまたは数ｃｍ間隔で、二股の均等な二片に分かれ、一片が幅１０ｃｍ〜３０ｃｍ程・長さ約１ｍ程に形成されることを特徴とする首巻きサンバイザー。
【考案の詳細な説明】
【技術分野】
【０００１】  本考案は、夏は涼しく冬は暖かく過ごせ、顔はもちろん首筋から肩、背中までの日焼け防止もできるサンバイザーに関するものである。
【背景技術】
【０００２】  本来、頭部から保護する帽子と区別して、太陽の直射から目及び視角を守るために、帽子からクラウン部を取り除いた形で頭に装着するものをサンバイザーと呼んできた。サンバイザーも利用が一般的に普及してくるに従い、目だけでなく肌の日焼け防止の機能を求める人も多くなってきた。例えば、被った時に後頭部の左右にスカーフを垂らし、首に巻いて頬から首の日焼けを防ぎ、風に飛ばされにくいとする帽子（特許文献１参照）とか、サンバイザーのひさしの外縁に前方を除く左右両側部にそって切れ目を設け、そこにハンカチやタオルを自由に付け外しして日焼け防止するというもの（特許文献２参照）とか、サンバイザーに着脱自在のクラウン部を組み合わせて帽子と兼用し、クラウン部の後ろに日除け垂れ布を設けた帽子（特許文献３参照）などが知られている。尚、サンバイザーを一切念頭におかない純粋な帽子に、首巻きも可能な日除けを取り付けた・日除け付き帽子（特許文献４参照）も知られている。
【先行技術文献】
【０００３】
【特許文献１】  特許公開平１１−３０２９１４号  公報
【特許文献２】  特許公開２００４−３５３１４３号  公報
【特許文献３】  登録実用新案第３１０９５９７号  公報
【特許文献４】  特許公開２００６−０９７２０９号  公報
【考案の概要】
【考案が解決しようとする課題】
【０００４】  特許文献１に示される先行技術は、女性向きの工夫がなされていると評価できるが、帽子本体がひさしに装着部材を付けただけの最も単純なサンバイザーなので、スカーフによって首筋の日焼け及び飛ばされる心配への対策にはなっているが、顔の日焼け対策としては、顔前面以外は横から斜めから容赦なく肌が強い日射しに焼かれてしまう。特許文献２に示される先行技術は、日除けの必要を感じた時に、手持ちのハンカチやタオルをひさしの切れ目に差込止めて日除けするというのだが、ファッション性に富むという主張とは逆に、傍からはどう見てもサンバイザーの自然な一構成要素には見えず、異物が左右にぶら下がっているとしか見えず、違和感があり、また当人にとっても顔の両側でブラブラ揺れ動くものが気になり、作業やスポーツのプレーにも邪魔になる可能性も大いに考えられる。特許文献３に示される先行技術は、帽子との兼用を上手く考えてあるが、頭部の暑苦しさやヘアースタイルが崩れるのが嫌で、サンバイザーとして使用したい場合には首や両頬の日除けができず、また頭部の暑苦しさを我慢してクラウン部を装着しても、首後ろだけしか日除けできない。特許文献４に示される先行技術は、サンバイザーではなく、あくまでも帽子として考案されており、ひさしも前方にのみ突き出た形で、他との区別を、ひさしの左右両端から頭頂部に斜め上に延びる領域のみをクラウン部とすること、及びクラウン部の全周縁に日除けを垂らすこと、これを最大の特徴として意識されたものであり、垂れた日除けが頭頂部から後頭部・耳・頬・首筋までほぼ隙間なくピッタリまとわりつくであろう構造からして、ゴルフやテニス等スポーツに使用することは、そもそも考慮の外にあるといえる。
本考案は、以上のような諸問題を解決し、通常のサンバイザーの持つ日除け機能に加え、首筋全体から顔の両側までも直射日光から肌をガードし、その上に首後部に小さい保冷剤やカイロが入るため快適に過ごすことができる。そのための手段構造を、傍目にもサンバイザーのごく自然な構成部分として映ると共に、女性のためのファッション性を引き立てるような形で実現しようとするものでる。
【課題を解決するための手段】
【０００５】  人の額の上辺から側頭部に沿って周回し、後頭部において数ｃｍの隙間を持つ略リング状の・カチューシャ様弾性体を用いた・平ベルト帯を形成し、その全面を布地で覆って、これを装着クリップとする。この装着クリップの縁の全長に亘って、菅笠様の裾広がりに、被った時に少し目深になる程度の幅広のつばを形設するが、つばは二枚の生地の間に芯材を入れて形成し、つばの裾縁に、変形自在な柔軟性を有するワイヤーを設け、つばの後端両側の適所に向かい合わせに面ファスナー雌（ｏｒスナップ雌、ボタンホール）等でシェード取付け部を設ける。
このシェード取付け部に付け外しするのがシェードであるが、これは、しなやかで・ＵＶカット性・吸汗性・速乾性に富むドライウエット生地等を用い、首後部〜肩のラインに当たる箇所に小さい保冷剤が入る小ポケットを設け、夏は保冷剤、冬はカイロを入れることができる。このシェード部材の特徴は、略長方形を想定した時、二つの短辺の一方側の辺端一帯をつば後部への取付け部領域として共有しつつも、小ポケットの少し下からスリットまたは数ｃｍ間隔で、二股の均等な二片に分かれ、一片が幅１０ｃｍ〜３０ｃｍ程・長さ約１ｍ程に形成される。
以上を特徴とする首巻きサンバイザーである。
【考案の効果】
【０００６】（イ）  頭頂部の全面開口の構造によって、サンバイザー特有の涼しさをいささかも損じることなく、ヘアースタイルも保てる。つばを前方にのみ突き出る形に限定せず、菅笠様にほぼ全一周回させて設けることで、日差しから目及び視角を守るだけでなく、顔及び肩・首筋の肌を日焼けから大幅に守ることができる。
（ロ）  つばの外周縁に変形自在のワイヤーを設けてあるので、日差しの角度の変化や視野の拡縮等を自由に調節できる。
（ハ）  装着クリップの全面が生地で覆われているため、通常のサンバイザーのように滑りやすい樹脂素材が髪や皮膚の上をズレ滑りする心配が大幅に減る。
（ニ）  首回りや肩・背中等の日焼けが気になる時は、シェードをつば後部に簡単に取り付けて、左右に分かれた二片を交差させてクルクルッと首に巻き掛けたり垂らしたり、首後ろでリボン結び等にすればよく、二片は相互に分離された個別片ではなく、片端一帯をつば後部への取付け領域として共有し、そこから二股に分かれる一体のものなので、二片を別々に取り付ける面倒さもなく、簡単に付け外しができる。
（ホ）  シェードは、頭部・顔の周囲に外へグイと張り出したかたちのつばの裾縁の後部に取り付けられるので、肌との間に絶妙の距離感覚が保持されて、直接皮膚にまとわりつく不快感が無く、また、ドライウエット生地のような材質なので、汗ばんだ首筋に巻かれてもサラサラ感があって、ベタつく不快感がない上に、首後部の内側に小さい保冷剤用の小ポケットを作り、その中に保冷剤を入れると、気持ちよく作業やプレーを続けられる。また、寒い時はカイロをそのポケットに入れ、クルクルッとマフラーのようにして使うと暖かい。
（ニ）  小さく折り畳むことができるので、携帯にも便利で、洗濯も簡単にできる。
【図面の簡単な説明】
【０００７】
【図１】本考案を後ろから見た状態を示す斜視図
【図２】本考案の実施例を正面から見た状態を示す斜視図
【図３】本考案の一部であるシェードの諸実施例を示す正面図
【考案を実施するための形態】
【０００８】  以下、本考案を実施するための形態を図面に添って説明する。
人の額の上辺から側頭部を辿って周回し、後頭部において数ｃｍの隙間で開口している略リング状の・カチューシャ様弾性体を用いた・平ベルト帯を形成し、その全面を生地で覆って、これを装着クリップ（１）とする。この装着クリップ（１）の縁の全長に亘って、菅笠様の裾広がりに、被った時に少し目深になる程度の幅広のつば（２）を形設するが、つば（２）は二枚の生地の間に芯材をいれて形成し、つば（２）の裾縁に、変形自在な柔軟性を有するワイヤー（５）を設け、つば（２）後端両側の適所に向かい合わせに面ファスナー雌（ｏｒスナップ雌、ボタンホール）等でシェード取付け部（４）を設け、このシェード取付け部（４）に付け外しするのがシェード（３）であるが、これは・しなやかで・ＵＶカット性・吸汗性・速乾性に富むドライウエット生地等を用い、首後部に当たる箇所に小さい保冷剤・カイロを入れる小ポケット（８）を設け、夏は保冷剤、冬はカイロ等を入れることができるのだが、このシェード部材の形状は、略長方形を想定した時、二つの短辺の一方側の辺端一帯をつば後部への取付け部領域（７）として共有しつつも、小ポケットの少し下部からスリット（６）または数ｃｍ間隔で、二股の均等な二片に分かれ、一片が幅１０ｃｍ〜３０ｃｍ程・長さ約１ｍほどに形成される。このシェード（３）に関しては、取付け・外しの手間や、非使用時の収納においてバラバラに散逸したりする心配やらの問題を無視して良い場合には、二片を相互に分離した個別片として形成しても差し支えない。
本考案は、以上のような構成であり、以下、これの具体的実施例を説明する。
この首巻きサンバイザーは、つば（２）が大きな菅笠様になっているので、日常生活で、日射しから肌をしっかり守ってくれる上に、自転車走行時や風の強い時でも、装着クリップ（１）で頭部をしっかり挟んでおり、つば（２）は風を受ける樹脂材でなく布地なので、抵抗が少なく風に飛ばされにくい。そして、裾縁外周にワイヤー（５）が付いているため、つば（２）に表情を付けアレンジして楽しむこともできる。また、シェード（３）がドライウエット生地なので、テニスやゴルフなどのスポーツ時やスポーツ観戦、釣り、山登り、屋外での農作業などの時、汗をかいても不快にならず、保冷剤を首元に装着することにより、真夏でも快適に過ごせる。また、保冷剤の代わりにカイロを装着すると冬でも暖かく使用できる。そして、小さく折りたためるので持ち運びに便利である。
つば（２）が前方だけでなく、頭部をほぼ全一周回している為、そのつば（２）の縁後部に取り付けられたシェードは、首に巻かれた時にも、顔や首筋の皮膚との間に絶妙な隙間を作り、まとわりつくベタつき感が無いので、炎天下での使用価値を高める。また、背中の日焼けを防ぎたい場合は、二股に分かれたところで大きなリボン結びにする。一片幅が１０ｃｍ〜３０ｃｍ、長さ１ｍ程のシェードなので、十分な日除けとなり、オシャレにも見える。
【符号の説明】
【０００９】（１）装着クリップ  （２）つば  （３）シェード  （４）シェード取付け部
（５）ワイヤー  （６）スリット  （７）取付け部領域  （８）小ポケット
【図１】
0003184384.tif 000003
【図２】
0003184384.tif 000004
【図３】
0003184384.tif 000005